(57)【要約】【課題】  より信頼性を高めたＴ.３８通信を行うインターネット対応のファクシミリ装置を得る。【解決手段】  送信開始に対応して電話番号を入力する。本電話番号入力後に、Ｈ．３２３手順による呼制御が実行され、Ｔ．３８手順が開始される。受信したＣＳＩは、発信した電話番号に一致するか否かの確認が実行される。本確認で「ＹＥＳ」の場合に、または「ＮＯ」の場合で送信接続の続行「ＹＥＳ」が確認された場合は、画データの送信が実行される。本手順において、発信側で受信した、このＣＳＩとゲートキーパーに問い合わせた電話番号を比較する。この比較対象となる数字列の長さと開始位置を変えることにより、判定の精度を変えることが可能である。比較結果が結果ＮＧの時に操作パネル上にその旨を表示して、通信を継続するか否か判断させる。このことにより、利用性を向上させている。なお、比較条件に一致しなかった時に送信を継続するか否かを、発信側端末の操作者に判断させる。これにより、送信を継続したり送信を中断するなど、相手先に応じた決定が可能になる。【選択図】  図１
2005094210.tif 000002
【特許請求の範囲】
【請求項１】
ＩＴＵ−Ｔ勧告Ｔ．３８に準拠し、ＩＰネットワーク上でリアルタイム的にファクシミリ通信を行う機能を備えたファクシミリ装置において、
電話回線と接続される網制御部と、ＩＰ網と接続されるネットワーク通信制御部と、送受信動作を制御するＣＰＵとを有して構成され、
ネットワーク上に勧告Ｈ．３２３準拠のゲートキーパーが存在する時は、発信時に使用する電話番号と着信側から送られてくる電話番号情報とを比較して登録内容の正しさを確認する機能を備えたことを特徴とするファクシミリ装置。
【請求項２】
請求項１に記載のファクシミリ装置において、前記確認した結果が所定の比較条件を満たした時のみ送信動作を開始し、満たさない場合には送信動作を中止して該送信オペレーターに警告を与えることを特徴とするファクシミリ装置。
【請求項３】
請求項１および請求項２に記載のファクシミリ装置において、前記比較条件を満たさない場合には、送ろうとしていた原稿の代わりに、相手機の設定内容の確認を依頼する定型文書を送ることを特徴とするファクシミリ装置。
【請求項４】
ＩＴＵ−Ｔ勧告Ｔ．３８に準拠し、ＩＰネットワーク上でリアルタイム的にファクシミリ通信を行う機能を備えたファクシミリ装置およびファクシミリ送信方法において、
ネットワーク上に勧告Ｈ．３２３準拠のゲートキーパーが存在する時は、発信時に使用する電話番号と着信側から送られてくる電話番号情報とを比較するステップと、登録内容の正しさを確認するステップとを、備えたことを特徴とするファクシミリ送信方法。
【請求項５】
請求項４に記載のファクシミリ送信方法において、前記確認した結果が所定の比較条件を満たした場合にのみ送信動作を開始するステップと、満たさない場合には送信動作を中止して送信オペレーターに警告を与えるステップを、さらに備えたことを特徴とするファクシミリ送信方法。
【請求項６】
請求項４または請求項５に記載のファクシミリ送信方法において、前記確認した結果が所定の比較条件を満たさない場合には、送ろうとしていた原稿の代わりに、相手機の設定内容の確認を依頼する定型文書を送るステップを、さらに備えたことを特徴とするファクシミリ送信方法。
【発明の詳細な説明】
【技術分野】
【０００１】
本発明は、勧告Ｈ．３２３準拠のゲートキーパーが設置されたＩＰネットワークでの誤送信を防止して、より信頼性を高めたＴ．３８通信を行うインターネット対応のファクシミリ装置およびファクシミリ送信方法に関するものである。
【背景技術】
【０００２】
一の従来技術は、リアルタイムインターネット機能を有し、複数の回線を収納する利用性の良好なファクシミリ装置およびファクシミリ送信方法の提供を図っている。本目論みにおいて、ゲートウェイの動作を制御するゲートキーパーの接続されているネットワークに接続され、リアルタイムインターネット機能を有して複数の回線を収納するファクシミリ装置およびファクシミリ送信方法が、複数収納する回線の電話番号の１つが選択されると、当該選択された電話番号をゲートキーパーに自局の電話番号として登録している。したがって、ゲートキーパーにユーザの意図する電話番号とＩＰアドレスを関連づけさせることができ、複数収納する回線のうちユーザの意図する回線を使用できるようにして、利用性を向上させることができる、としている（参照；特許文献１）。
【０００３】
また、第２の従来技術では、ＶｏＩＰ（Voice over Internet Protocol）環境で使用する端末がＩＰ電話として使用できるか否かをゲートキーパーに登録し、発呼者からの音声通信依頼があった時に、その状態に応じたサービスを提供している（参照；特許文献２）。
第３の従来技術では、ダイヤルアップでＶｏＩＰネットワーク接続毎にゲートキーパーに動的に登録するシステムにおいて、認証サーバーと連動して「なりすまし」を排除する手段を提供している（参照；特許文献３）。
【特許文献１】特開２００３−１５２９３９号公報
【特許文献２】特開２００２−３５４１２２号公報
【特許文献３】特開２００３−１６９１３５号公報
【発明の開示】
【発明が解決しようとする課題】
【０００４】
解決しようとする問題点は、例えば下記の問題点である。
ＩＴＵ−Ｔ勧告Ｔ．３８に準拠し、ＩＰネットワーク上でリアルタイム的にファクシミリ通信を行う機能を備えたファクシミリ装置（ファクシミリ機能付き複合機を含む）が設置された環境において、設置端末台数が多くなるとそれらの管理を容易に行うために、勧告Ｈ．３２３に準拠したゲートキーパーと呼ばれるサーバーが配置されることがある。
【０００５】
上記Ｔ．３８対応ファクシミリでは、送信先のＩＰアドレスを指定してダイレクトに送信するが、ゲートキーパーはＩＰアドレスと電話番号の対照表を備えており、ＩＰアドレスの代わりに日頃使い慣れている電話番号形式で送信先を指定することを可能にする。ここでいう電話番号は、数字の羅列であり、必ずしも電話回線で使用する通常のファクス番号と同じである必要はない。しかし、通常のファクス送信操作との違和感を持たせないためには、同じ番号のほうが望ましいであろう。これは、通常の電話番号と区別するために、エイリアス電話番号とよばれることもある（本願明細書中では簡素化のために“電話番号”という用語を用いる）。この電話番号は、各端末毎に登録が必要であり、端末機器にあらたに登録されたり登録済のものが変更されたりした時に、端末機器側からゲートキーパーにアクセスして、その登録内容を更新する。
【０００６】
さて、電話回線を使用して行う通常のファクシミリ送信では、交換機がダイヤルパルスやＤＴＭＦ信号を誤って解釈してしまい、ダイヤルした番号とは違う宛先につないでしまう、誤接続問題が発生することがある。このような誤接続を防止するために、自分がダイヤルした番号と、相手機から送られてきたＣＳＩ（Inter-application Communication Support Interface）の内容とを比較して、通信を継続するか否かを判断する機能を持つファクシミリも存在する。
【０００７】
ＩＰネットワークにおけるＴ．３８通信では、もちろん交換機は介さないが、このような交換機の性能の低さに起因するようなレベルの誤接続は、ほとんど起きないと考えてよい。しかし、端末機器への登録は、管理者が行うことになる。このため、電話番号と同じものを登録するはずだったものが誤ったものを登録してしまう可能性がある。この場合は、送り先としては正しいにも関わらず、自分がダイヤルした番号と相手応答として受け取ったＩＤが異なっており、操作パネル上やレポート上でそれを目にした送信者は、不安に駆られることになる。
【課題を解決するための手段】
【０００８】
請求項１に記載の本発明のファクシミリ装置は、ＩＴＵ−Ｔ勧告Ｔ．３８に準拠し、ＩＰネットワーク上でリアルタイム的にファクシミリ通信を行う機能を備えたファクシミリ装置であり、電話回線と接続される網制御部と、ＩＰ網と接続されるネットワーク通信制御部と、送受信動作を制御するＣＰＵとを有して構成され、ネットワーク上に勧告Ｈ．３２３準拠のゲートキーパーが存在する時は、発信時に使用する電話番号と着信側から送られてくる電話番号情報とを比較して登録内容の正しさを確認する機能を備えたことを特徴とする。
【０００９】
請求項２に記載の発明は、請求項１に記載のファクシミリ装置において、確認した結果が所定の比較条件を満たした場合にのみ送信動作を開始し、満たさない場合には送信動作を中止して送信オペレーターに警告を与えることを特徴とする。
【００１０】
請求項３に記載の発明は、請求項１および請求項２に記載のファクシミリ装置において、所定の比較条件を満たさない場合には、送ろうとしていた原稿の代わりに、相手機の設定内容の確認を依頼する定型文書を送ることを特徴とする。
【００１１】
請求項４に記載の発明のファクシミリ送信方法は、ＩＴＵ−Ｔ勧告Ｔ．３８に準拠し、ＩＰネットワーク上でリアルタイム的にファクシミリ通信を行う機能を備えたファクシミリ装置およびファクシミリ送信方法において、ネットワーク上に勧告Ｈ．３２３準拠のゲートキーパーが存在する時は、発信時に使用する電話番号と着信側から送られてくる電話番号情報とを比較するステップと、登録内容の正しさを確認するステップとを、備えたことを特徴とする。
【００１２】
請求項５に記載の発明は、請求項４に記載のファクシミリ送信方法において、確認した結果が所定の比較条件を満たした場合にのみ送信動作を開始するステップと、満たさない場合には送信動作を中止して送信オペレーターに警告を与えるステップを、さらに備えたことを特徴とする。
【００１３】
請求項６に記載の発明は、請求項４または請求項５に記載のファクシミリ送信方法において、比較条件を満たさない場合には、送ろうとしていた原稿の代わりに、相手機の設定内容の確認を依頼する定型文書を送るステップを、さらに備えたことを特徴とする。
【発明の効果】
【００１４】
本発明のファクシミリ装置およびファクシミリ送信方法は、上記の不具合を解消するものであり、ゲートキーパー存在環境下でダイヤルした番号と相手機から受け取ったＩＤを比較することにより、通信先登録内容の正否を判断する場が提供可能となる。これにより、誤通信の発生防止を図る。
【発明を実施するための最良の形態】
【００１５】
添付図面を参照して、本発明によるファクシミリ装置およびファクシミリ送信方法の実施の形態を詳細に説明する。図１は、本発明に関わるインターネットファクスの構成例を示す。本ハードウェア構成としては、通常のファクシミリにネットワーク接続のためのインターフェースデバイスが追加される、標準的なインターネットファクスの構成である。なお、本発明は、ファクシミリまたはファクシミリ機能を備えた複合機等への適用が可能である。
【実施例１】
【００１６】
図１に示したファクシミリ装置は、電話回線と接続された網制御部１と、ＩＰ網と接続されたネットワーク通信制御部２とを備えている。また、一般的なファクシミリ装置と同様に、モデム、ＣＰＵ、ＲＯＭ、ＲＡＭと、さらに、原稿センサと接続されたスキャナ、記録センサと接続されたプロッタ、操作表示部、符号化・復号化部、画像メモリ、時計回路を備えて構成される。
【００１７】
図２は、ＩＰネットワーク上で行われるＴ．３８通信手順例である。ＰＳＴＮ（Public Switched Telephone Network）で行われる通常のファクス手順Ｔ．３０の通信手順信号であるＤＩＳ、ＣＳＩ、ＤＣＳなどが、そのままＩＰパケット化して使用されている様子を示している。
それぞれにＩＰアドレスを有する２台のファクシミリ装置Ａおよびファクシミリ装置Ｂが、ＩＰネットワーク網を介して接続されている。
これらのファクシミリ装置Ａおよびファクシミリ装置Ｂの間において、ファクシミリ装置Ａからファクシミリ装置Ｂへ、ＳＥＴＵＰ送信、ＣＯＮＮＥＣＴ受信、パケットＤＩＳ受信、パケットＣＩＳ受信、パケットＤＣＳ送信、パケット画データ送信、パケットＥＯＰ送信、パケットＭＣＦ受信、パケットＥＯＰ送信が順次実行され、最後にRelease Compが送信されて終了する。
【００１８】
図３は、ＩＰネットワーク上にＨ．３２３ゲートキーパが存在する時にアドレス解決をして、Ｔ．３８ファクス通信を開始するまでのシーケンスを示している。端末機器からＡＲＱ(Admission Request)で呼受付判断を要求し、ゲートキーパーからＡＣＦ(Admission Confirmation)で呼受付判断の応答を返している。
【００１９】
実施例１のファクシミリ装置およびファクシミリ送信方法の手順例を、図４に示す。図１の構成に成るファクシミリ装置を用いて、本処理手順例は実施される。これらの構成内容を以下に詳述する。
ＣＳＩ(Called Subscriber Identification)には通常自機の電話番号が登録され、着信端末から自機のＩＤとして発信端末に送り返すことにより、発信端末側でダイヤルした番号の正当性を検証するために使用することができる。これは、ＰＳＴＮで行うファクス通信手順Ｔ．３０の中で定義されている信号であるが、図２で示したように、ＩＰ網のＴ．３８手順でもそれをそっくりパケット化したものが使用される。
【００２０】
（動作例１）
送信手順例を示す図４において、送信開始に対応して電話番号を入力する。本電話番号入力後に、Ｈ．３２３手順による呼制御が実行され、Ｔ．３８手順が開始される。受信したＣＳＩは、発信した電話番号に一致するか否かの確認が実行される。
上記の確認で「ＹＥＳ」の場合に、または「ＮＯ」の場合で送信接続の続行「ＹＥＳ」が確認された場合は、画データの送信が実行される。
【００２１】
本実施例では、発信側で受信した、このＣＳＩとゲートキーパーに問い合わせた電話番号を、比較するものである。比較対象となる数字列の長さと開始位置を変えることにより、判定の精度を変えることが可能である。実施例１では、比較結果が結果ＮＧの時に操作パネル上にその旨を表示して、通信を継続するか否か判断させる。このことにより、利用性を向上させている。
【００２２】
動作例１のファクシミリ送信方法においては、比較条件に一致しなかった時に送信を継続するか否かを発信側端末の操作者に判断させる。このことにより、設定内容に問題があることが予め解っている相手先に対しては継続もできるようにしたり、そうでない相手先に相手先に対しては送信を中断するなど、相手先に応じた決定が可能になる。
【００２３】
（動作例２）
動作例２が適用される通信処理手順例を、図５に示す。
ここでは、比較結果がＮＧの時には直ちに送信を中止し、操作パネル上に警告メッセージを表示するとともに、エラーレポートを出力して端末機器の設定確認を促している。
本動作例２のファクシミリ送信方法においては、比較条件に一致しなかった時に送信を中止して、発信側端末の操作者に設定の再確認を促すことにより、不安を解消するとともに誤送信を予防することが可能になる。
【００２４】
（動作例３）
動作例３が適用される処理手順例を、図６に示す。
ここでは、比較結果がＮＧの時には直ちに送信を中止した上で、予め用意されている定型メッセージを送付し、相手機に端末機器の設定確認を促している。
動作例３のファクシミリ送信方法においては、比較条件に一致しなかった時に送信を中止して、着信側端末の管理者に設定の再確認を促すことにより、不安を解消するとともに誤送信を予防することが可能になる。
【図面の簡単な説明】
【００２５】
【図１】ファクシミリ装置およびファクシミリ送信方法の構成例を示す図である。
【図２】ＩＰネットワーク上で行われるＴ．３８通信手順例を示す図である。
【図３】ＩＰネットワーク上でのＴ.３８ファクス通信を開始するまでのシーケンスを示す図である。
【図４】動作例１の処理手順例を示すフローチャートである。
【図５】動作例２の処理手順例を示すフローチャートである。
【図６】動作例３の処理手順例を示すフローチャートである。
【符号の説明】
【００２６】
１    網制御部
２    ネットワーク通信制御部
【図１】
2005094210.tif 000003
【図２】
2005094210.tif 000004
【図３】
2005094210.tif 000005
【図４】
2005094210.tif 000006
【図５】
2005094210.tif 000007
【図６】
2005094210.tif 000008